(57)【要約】      （修正有）【課題】刃物研ぎ具の改良構造を提供する。【解決手段】吸着装置１０、金属カバー２０、刃物研ぎ組３０とカバー４０とを含む。吸着装置には本体１１があり、本体には操作ハンドル１２に制御される吸盤１３が設けられ、本体の側面には拡張体１１２が伸ばされ、拡張体の内部には収容空間１１３が形成され、収容空間には結合部１１４が設けられ、拡張体の上面には回避溝１１５が外へ貫通し、刃物研ぎ組には互いに対応する二つの固定ブロック３１があり、二つの固定ブロックにはそれぞれ収容溝３１１により第一研ぎ体３２と第二研ぎ体３３が嵌め込まれ、固定ブロックには二つの研ぎ口３１２が設けられることと、二つの研ぎ口と収容溝の貫通状態が形成されることによって、Ｖ形に形成された二つの第一研ぎ体と二つの第二研ぎ体が研ぎ口の中から伸ばされるため、第一研ぎ体と第二研ぎ体の材質と形状の異なりにより、刃物研ぎ組は粗研ぎと細研ぎの機能を兼ねることができ、カバーには接合部４１が設けられる。【選択図】図２
0003199241.tif 000002
【実用新案登録請求の範囲】
【請求項１】
刃物研ぎ具の改良構造であって、刃物研ぎ具の改良構造は、吸着装置、金属カバー、刃物研ぎ組とカバーとを含み、吸着装置には本体があり、本体には操作ハンドルで制御される吸盤が設けられ、該吸盤はレバーにより本体の中央の穴に差し込まれるため、本体の上部のスロットの中にレバーと操作ハンドルが互いに枢着され、操作ハンドルが引き回して本体に偏心して支えられることによって、吸盤が引き動き、その内部には真空の吸引力が生じ、本体と吸盤の間にはバネが挟んで設けられ、また本体の側面には拡張体が伸ばされ、拡張体の内部には収容空間が形成され、収容空間には結合部が設けられ、拡張体の上面には回避溝が外へ貫通し、
刃物研ぎ組には互いに合わせられた二つの固定ブロックがあり、該二つの固定ブロックにはそれぞれ収容溝により第一研ぎ体と第二研ぎ体が嵌め込まれ、固定ブロックには二つの研ぎ口が設けられることと、二つの研ぎ口と収容溝の貫通状態が形成されることによって、Ｖ形に形成された二つの第一研ぎ体と二つの第二研ぎ体が研ぎ口の中から伸ばされるため、第一研ぎ体と第二研ぎ体の材質と形状の異なりにより、刃物研ぎ組は粗研ぎと細研ぎの機能を兼ねることができ、また、刃物研ぎ組は金属カバーが拡張体の収容空間に入れた後で入れられるため、金属カバーは拡張体と刃物研ぎ組の間に挟まれることができ、金属カバーが研ぎ口を避けた固定ブロックの上面を覆い、
カバーには接合部が設けられ、接合部と結合部とを合わせることによって、カバーは拡張体の底面に固定されることができ、収容空間の下を閉じさせ、刃物研ぎ組を載せることを可能にする、
刃物研ぎ具の改良構造。
【請求項２】
結合部と接合部はロック柱とロック孔の形式で組み合わされることを特徴とする請求項１の刃物研ぎ具の改良構造。
【請求項３】
結合部と接合部はロックブロックとロック孔の形式で組み合わされることを特徴とする請求項１の刃物研ぎ具の改良構造
【請求項４】
第一研ぎ体はタングステン鋼片であることを特徴とする請求項１の刃物研ぎ具の改良構造。
【請求項５】
第二研ぎ体はセラミックス棒であることを特徴とする請求項１の刃物研ぎ具の改良構造。
【請求項６】
カバーの底面にはスリップ敷体が設けられることを特徴とする請求項１の刃物研ぎ具の改良構造。
【考案の詳細な説明】
【技術分野】
【０００１】
本考案は、刃物研ぎ具の改良構造に関し、特に安全に使用することができ、粗研ぎと細研ぎの機能を兼ねる刃物研ぎ具に関する。
【背景技術】
【０００２】
刃物は長時間使用された後、鋭利な刃先部分が自然に摩損されるため、切れ味が悪くなってしまう。刃物の切れ味を回復する際には、刃先を研ぐための刃物研ぎ用砥石が知られている。しかし、従来の砥石はかなり重くて収納しにくく、従って、砥石を小さくして刃物研ぎ本体に組み合わせる刃物研ぎ具の構造が市場に現れた。しかし、上述のような砥石と刃物研ぎ本体が結合したものは、使用する際に片手で刃物を持って砥石の上で滑らせ、もう片手で刃物研ぎ本体を支えなければならないため、使用上かなりの危険性がある。
【０００３】
従って、上述のような従来の刃物研ぎ具の構造に存在する欠点について研究改良することが実に業界が努力して研究開発する目標である。本考案者はこれらに鑑み、創作の意が芽生え、長年の経験に基づいて設計し、多方面に探究した上で試作品を制作し、修正改良を重ねた上で本考案を生み出した。
【考案の概要】
【考案が解決しようとする課題】
【０００４】
。既知の刃物研ぎ具は使用する時に片手で砥石を押しながら研がなければならないので危険性が高い。これは解決しようとする問題点である。
【課題を解決するための手段】
【０００５】
本考案は刃物研ぎ具の改良構造を提供する。本考案は、刃物研ぎ具の改良構造であって、吸着装置、金属カバー、刃物研ぎ組とカバーとを含み、吸着装置には本体があり、本体には操作ハンドルで制御される吸盤が設けられ、該吸盤はレバーにより本体の中央の穴に差し込まれるため、本体の上部のスロットの中にレバーと操作ハンドルが互いに枢着され、操作ハンドルを引き回して本体に偏心して支えられることによって、吸盤が引き動かれ、その内部には真空の吸引力が生じ、本体と吸盤の間にはバネが挟んで設けられ、また本体の側面には拡張体が伸ばされ、拡張体の内部には収容空間が形成され、収容空間には結合部が設けられ、拡張体の上面には回避溝が外へ貫通し、刃物研ぎ組には互いに対応する二つの固定ブロックがあり、該二つの固定ブロックにはそれぞれ収容溝により第一研ぎ体と第二研ぎ体を嵌め込み、固定ブロックには二つの研ぎ口が設けられることと、二つの研ぎ口と収容溝の貫通状態が形成されることによって、Ｖ形に形成された二つの第一研ぎ体と二つの第二研ぎ体が研ぎ口の中から伸ばされるため、第一研ぎ体と第二研ぎ体の材質と形状の異なりにより、刃物研ぎ組は粗研ぎと細研ぎの機能を兼ねることができ、また、刃物研ぎ組は金属カバーが拡張体の収容空間に入った後で入れられるため、金属カバーは拡張体と刃物研ぎ組の間に挟まれることができ、金属カバーが研ぎ口を避けた固定ブロックの上面を覆い、カバーには接合部が設けられ、接合部と結合部とが合わさることによって、カバーは拡張体の底面に固定されることができ、収容空間の下を密閉し、それにより刃物研ぎ具の改良構造が得られる。
従来の製品と照らし合わせてみると、以下の利点がある。
【０００６】
（一）本考案が使用される際には、刃物研ぎ具が滑らかな平面に貼り付き、片手で刃物研ぎ具を持つ必要がないため、刃物を研磨する過程でその手が切られる恐れがなくなる。
（二）本考案の刃物研ぎ具は粗研ぎと細研ぎの機能を兼ねるため、使用する際には一層総合的な利用が可能になる。
【０００７】
（三）本考案の固定ブロックの上面が金属カバーに覆われることによって、外と隔離した状態になるため、刃物を研磨する際、不注意で固定ブロックの上面を切っても、固定ブロックの上に醜い傷が残る恐れがなく、本考案の刃物研ぎ具を完璧に保持することができる。
【図面の簡単な説明】
【０００８】
【図１】図１は、本考案を示す立体組合図である。
【図２】図２は、本考案を示す立体分解図である。
【図３】図３は、本考案を示す組合断面図である。
【図４】図４は、本考案を示す組合平面図である。
【図５】図５は、本考案を示す使用状態図である。
【考案を実施するための形態】
【０００９】
まず、図１から図４を参照されたい。刃物研ぎ具の改良構造は、吸着装置（１０）、金属カバー（２０）、刃物研ぎ組（３０）とカバー（４０）とを含み、その中で、吸着装置（１０）には本体（１１）があり、本体（１１）には操作ハンドル（１２）で制御される吸盤（１３）が設けられ、該吸盤（１３）はレバー（１３１）により本体（１１）の中央の穴に差し込まれるため、本体（１１）の上部のスロット（１１１）の中にレバー（１３１）と操作ハンドル（１２）が互いに枢着され、操作ハンドル（１２）を引き回して本体（１１）に偏心して支えられることによって、吸盤（１３）が引き動かされ、その内部には真空の吸引力が生じ、本体（１１）と吸盤（１３）の間にはバネが挟んで設けられ、また本体（１１）の側面には拡張体（１１２）が伸ばされ、拡張体（１１２）の内部には下へ貫通する収容空間（１１３）が形成され、収容空間（１１３）には結合部（１１４）が設けられ、拡張体（１１２）の上面には回避溝（１１５）が外へ貫通し、刃物研ぎ組（３０）には互いに対応する二つの固定ブロック（３１）があり、該二つの固定ブロック（３１）にはそれぞれ収容溝（３１１）により第一研ぎ体（３２）と第二研ぎ体（３３）を嵌め込み、固定ブロック（３１）には二つの研ぎ口（３１２）が設けられることと、二つの研ぎ口（３１２）と収容溝（３１１）の貫通状態が形成されることによって、Ｖ形に形成された二つの第一研ぎ体（３２）と二つの第二研ぎ体（３３）が研ぎ口（３１２）の中から伸ばされるため、第一研ぎ体（３２）と第二研ぎ体（３３）の材質と形状の異なりにより、刃物研ぎ組（３０）は粗研ぎと細研ぎの機能を兼ねることができ、また、刃物研ぎ組（３０）は金属カバー（２０）が拡張体（１１２）の収容空間（１１３）に入った後で入れられるため、金属カバー（２０）は拡張体（１１２）と刃物研ぎ組（３０）の間に挟まれることができ、金属カバー（２０）が研ぎ口（３１２）に合わせて固定ブロック（３１）の上面を覆い、カバー（４０）には接合部（４１）が設けられ、接合部（４１）と拡張体（１１２）及び結合部（１１４）が組み合わされることによって、カバー（４０）は拡張体（１１２）の底面に固定されることができ、収容空間（１１３）の下を密閉し、刃物研ぎ組（３０）を載せることを可能にする。
本考案は刃物研ぎ具の改良構造を提供する。その中で、結合部（１１４）と接合部（４１）はロック柱とロック孔の形式で組み合わされる。
本考案は刃物研ぎ具の改良構造を提供する。その中で、結合部（１１４）と接合部（４１）はロックブロックとロック孔の形式で組み合わされる。
本考案は刃物研ぎ具の改良構造を提供する。その中で、第一研ぎ体（３２）はタングステン鋼片であり、粗研ぎのために利用される。
本考案は刃物研ぎ具の改良構造を提供する。その中で、第二研ぎ体（３３）はセラミックス棒であり、細研ぎのために利用される。
本考案は刃物研ぎ具の改良構造を提供する。その中で、カバー（４０）の底面にはスリップ敷体（５０）が設けられる。
【００１０】
続いて図５を参照されたい。実際に使用する際、吸盤（１３）を滑らかな平面に貼り付け、操作ハンドル（１２）を引き回して本体（１１）に偏心して支えられることによって、吸盤（１３）が引き動かれ、その内部には真空の吸引力が生じ、そして鈍くなった刃物（６０）を回避溝（１１５）から研ぎ口（３１２）に入れて設置し、第一研ぎ体（３２）により刃物（６０）を研磨し、それに第二研ぎ体（３３）に合わせることで、刃物（６０）は粗研ぎした後に細研ぎすることができるため、一層総合的な使用が可能になる。また、固定ブロック（３１）の上面が金属カバー（２０）に覆われることによって、外と隔離した状態になるため、刃物を研磨する際、気が付かずに固定ブロック（３１）の上面を横切っても、固定ブロック（３１）の上に醜い刻み目が残る恐れがなく、本考案の刃物研ぎ具を完璧に保持することができる。
【００１１】
上述の具体的な実施例により、以下の利点が得られる。すなわち、（一）本考案が使用される際には、刃物研ぎ具が滑らかな平面に貼り付けられ、片手で刃物研ぎ具を持つ必要がないため、刃物を研磨する過程でその手が切られる恐れがなくなる。（二）本考案の刃物研ぎ具は粗研ぎと細研ぎの機能を兼ねるため、一層総合的な使用が可能になる。（三）本考案の固定ブロック（３１）の上面が金属カバー（２０）に覆われることによって、外と隔離した状態になるため、刃物を研磨する際、気が付かずに固定ブロック（３１）の上面を切っても、固定ブロック（３１）の上に醜い傷が残る恐れがなく、本考案の刃物研ぎ具を完璧に保持することができる。
【００１２】
以上は、本考案の良い実施例の一部にしか過ぎないため、本考案の実施範囲が制限されるものではない。即ち、本実用新案登録請求の範囲内で行われる変化、修飾なども本考案の範囲内に属すべきである。
【符号の説明】
【００１３】
１０        吸着装置
１１        本体
１１１      スロット
１１２      拡張体
１１３      収容空間
１１４      結合部
１１５      回避溝
１２        操作ハンドル
１３        吸盤
１３１      レバー
２０        金属カバー
３０        刃物研ぎ組
３１        固定ブロック
３１１      収容溝
３１２      研ぎ口
３２        第一研ぎ体
３３        第二研ぎ体
４０        カバー
４１        接合部
５０        スリップ敷体
６０        刃物
【図１】
0003199241.tif 000003
【図２】
0003199241.tif 000004
【図３】
0003199241.tif 000005
【図４】
0003199241.tif 000006
【図５】
0003199241.tif 000007